(57)【特許請求の範囲】
【請求項１】
ネットワークを介して複数のクライアント端末と接続可能なネットワークスキャナ装置であって、
各クライアント端末から事前に送られてくる読み取り解像度等のスキャン条件情報を格納する手段と、
上記スキャン条件情報を表示するとともにメニューからスキャン条件情報を選択する操作パネルと、を具備し、
上記操作パネルでスキャン条件情報が選択されかつクライアント端末ごとに設定されているパスワードの入力があった場合に、読み取り動作を行い、自動的に上記クライアント端末に対してスキャンデータを送ることを特徴とするネットワークスキャナ装置。
【請求項２】
ネットワークを介して複数のクライアント端末と接続可能なネットワークスキャナ装置であって、
各クライアント端末のスキャン条件情報格納手段に格納されている読み取り解像度等のスキャン条件情報をメニューから選択することができる操作パネルを具備し、
上記操作パネルでスキャン条件情報が選択されかつクライアント端末ごとに設定されているパスワードの入力があった場合に、読み取り動作を行い、自動的に上記クライアント端末に対してスキャンデータを送ることを特徴とするネットワークスキャナ装置。
【請求項３】
ネットワークを介して複数のクライアント端末と接続可能なネットワークスキャナ装置であって、
ネットワークスキャナ装置はスキャン条件及び転送先のクライアント端末をメニューから指定する操作パネルを具備し、
上記操作パネルでスキャン条件情報及び転送先のクライアント端末が選択されかつクライアント端末ごとに設定されているパスワードの入力があった場合に、読み取り動作を行い、自動的に上記クライアント端末に対してスキャンデータを送ることを特徴とするネットワークスキャナ装置。
【発明の詳細な説明】
【０００１】
【発明の属する技術分野】
本発明は、ネットワークに接続して使用されるネットワークスキャナ装置に関する。
【０００２】
【従来の技術】
複数のクライアント端末が接続されたネットワークに対して、クライアント端末と同じような一端末として接続されるタイプのネットワークスキャナ装置が構想されている。このようなネットワークスキャナ装置があれば、クライアント端末からスキャナ装置を利用する場合、読み取り条件（原稿サイズ、解像度、階調等）を事前にクライアント端末にて設定しておくことにより、オペレータはネットワークスキャナ側で読み取り条件を設定することなく、例えば、原稿をセットした後にスタートキーを押すだけで、原稿を読み取ることができ、かつ、この読み取りデータをクライアント端末に対して転送することができるようになる。
【０００３】
【発明が解決しようとする課題】
しかし、上記ネットワークスキャナ装置は、ネットワーク上の不特定多数のクライアントから使用されることが予想されるため、複数のクライアント端末からネットワークスキャナ装置に対してスキャン要求があった場合、ネットワーク上のどのクライアント端末のスキャン要求を実行するか判断する必要がある。
【０００４】
以上のような判断をさせるため、各スキャン要求に対してＩＤを与え、オペレータがネットワークスキャナ装置側でこのＩＤを入力することで、どのクライアントからのスキャン要求かを判断することが考えられる。
【０００５】
しかし、ＩＤは無意味な文字と数字のランダムな組み合わせである場合が多く、オペレータは記憶しにくい。このように、オペレータがＩＤを記憶しなければならないようなネットワークスキャナ装置は、決して使いやすい装置とはいえない。
【０００６】
本発明は以上のような点に鑑みてなされたもので、不特定多数のクライアント端末からのスキャン要求をメニューにて簡単に選択し、実行できるようにしたネットワークスキャナ装置を提供することを目的とする。
【０００７】
【課題を解決するための手段】
請求項１記載の発明は、ネットワークを介して複数のクライアント端末と接続可能なネットワークスキャナ装置であって、各クライアント端末から事前に送られてくる読み取り解像度等のスキャン条件情報を格納する手段と、上記スキャン条件情報を表示するとともにメニューからスキャン条件情報を選択する操作パネルと、を具備し、上記操作パネルでスキャン条件情報が選択されかつクライアント端末ごとに設定されているパスワードの入力があった場合に、読み取り動作を行い、自動的に上記クライアント端末に対してスキャンデータを送ることを特徴とする。
【０００８】
請求項２記載の発明は、ネットワークを介して複数のクライアント端末と接続可能なネットワークスキャナ装置であって、各クライアント端末は読み取り解像度等のスキャン条件情報格納手段を有し、各クライアント端末のスキャン条件情報格納手段に格納されている読み取り解像度等のスキャン条件情報をメニューから選択することができる操作パネルを具備し、上記操作パネルでスキャン条件情報が選択されかつクライアント端末ごとに設定されているパスワードの入力があった場合に、読み取り動作を行い、自動的に上記クライアント端末に対してスキャンデータを送ることを特徴とする。
【０００９】
請求項３記載の発明は、ネットワークを介して複数のクライアント端末と接続可能なネットワークスキャナ装置であって、ネットワークスキャナ装置はスキャン条件及び転送先のクライアント端末をメニューから指定する操作パネルを具備し、上記操作パネルでスキャン条件情報及び転送先のクライアント端末が選択されかつクライアント端末ごとに設定されているパスワードの入力があった場合に、読み取り動作を行い、自動的に上記クライアント端末に対してスキャンデータを送ることを特徴とする。
【００１０】
【発明の実施の形態】
以下、本発明にかかるネットワークスキャナ装置の実施の形態について図面を参照しながら説明する。図１において、ＬＡＮ（ローカルエリアネットワーク）やＷＡＮ（ワイドエリアネットワーク）のネットワーク７上には不特定多数のクライアント端末６が接続されている。各クライアント端末６は、例えばハードディスク装置や光磁気ディスク等からなる記憶装置６ａを有している。また、各クライアント端末６は、スキャン要求を出す場合に、スキャン条件である原稿サイズ、解像度、階調などを管理するスキャン条件管理部６ｂを有している。また、各クライアント端末６には、ＷＳ＿Ａ、ＷＳ＿Ｂというように名前が付けられており、この名前によって複数のクライアント端末が識別できるようになっている。
【００１１】
また、ネットワーク７上にはクライアント端末６と同じような形態でネットワークスキャナ装置１０が接続されている。ネットワークスキャナ装置１０は、内部ＢＵＳ８と、内部ＢＵＳ８に接続されたＣＰＵ１、操作パネル等からなる操作部２、スキャン条件管理部３、ネットワーク管理部４、スキャナデバイス５の各部材から構成されている。内部バス８を介して、これらＣＰＵ１、操作部２、スキャン条件管理部３、ネットワーク管理部４、スキャナデバイス５の各部材は、データのやり取りができるような構成となっている。
【００１２】
このうち、ＣＰＵ１は演算処理がなされる中央処理装置であり、操作部２はデータの表示部およびデータの入力がなされる入力部から構成されている。また、スキャン条件管理部３は、ネットワーク７上に接続されている各クライアント端末６から送られてくるスキャン要求条件を格納し、管理できるような装置となっている。さらに、ネットワーク管理部４では、ネットワークスキャナ装置１０とネットワーク７とのインターフェース及びクライアント端末６の情報の管理がなされる。スキャナデバイス５は、実際に原稿の読み取りなどがなされる部分となっている。
【００１３】
次に、以上のような構成のネットワークスキャナ装置の動作例について説明する。まず、ここでは、クライアント端末６（ＮＡＭＥ：ＷＳ＿Ａ）が、Ａ４サイズの原稿を４００ｄｐｉの解像度で読み取り、クライアント端末６（ＮＡＭＥ：ＷＳ＿Ａ）の記憶装置６ａ上にファイル（名前：ｓｃａｎ．ｉｍｇ）として記憶する場合の例について説明する。
【００１４】
まず、オペレータがクライアント端末Ａにてスキャナの読み取り条件を設定すると、設定された条件を元に、クライアント端末（ＷＳ＿Ａ）はネットワークスキャナ装置１０のスキャン条件管理部３に対して、以下のようなフォーマットのスキャン条件ファイルが伝送される。
0003621180.tif 000002
このようなスキャン条件ファイルには、原稿サイズ、解像度等の条件および自分の端末の名前（この場合は「ＷＳ＿Ａ」）が格納される。スキャン条件ファイルを伝送した時点で、クライアント端末Ａからの要求設定は完了する。
【００１５】
次にクライアント端末６（ＷＳ＿Ａ）のオペレータはスキャン原稿を持ってネットワークスキャナ装置１０の所へ行き、自分がセットしたスキャン条件を操作部２より選択する。ネットワークスキャナ装置１０の操作部２での選択画面は、図２に示すようになる。操作部２では、クライアント端末６（ＷＳ＿Ａ）の他に、クライアント端末６（ＷＳ＿Ｂ）からの要求や、クライアント端末６（ＷＳ＿Ｃ）からの要求も表示されている。また、操作部２ではクライアント端末名の他に、原稿サイズや解像度、階調などの情報も一緒に表示されている。
【００１６】
以上のような操作部２で、ここでＷＳ＿Ａを選択すると、図３に示すように、スキャンのスタート待ちとなる。なお、このスタート待ちの状態で、ネットワークスキャナ装置１０側で、原稿サイズ、解像度、階調等の設定を変更することもできる。
【００１７】
操作部２のスタートキーを押すとスキャンが開始され、読み取られるスキャンデータはクライアント端末６（ＷＳ＿Ａ）に転送され、スキャン条件ファイルのローカルファイル名の箇所に記述されたタイトル（ｓｃａｎ．ｉｍｇ）で、記憶装置６ａ上に書き込まれる。なお、誤って他のクライアント端末６のオペレータが、自分のスキャン条件を選択することを防止するために、スキャン条件の選択の際に、パスワード等の確認機能を付けるようにしてもよい。
【００１８】
上記ネットワークスキャナ装置によれば、ネットワーク７上のクライアント端末６で設定されたスキャン条件が、ネットワークスキャナ装置に対して要求元のクライアント端末名で登録されており、しかも、スキャン条件は操作部２に対して表示されるため、各オペレータは自分の設定したスキャン条件を、ネットワークスキャナ装置上にて簡単に検索することができ、不特定多数のクライアント端末６からスキャン要求があったとしても、特にＩＤ等の複雑なコードを覚えることなく容易に呼び出すことができる。
【００１９】
次に、上記ネットワークスキャナ装置の別の動作例について説明する。まず、オペレータがクライアント端末６（ＷＳ＿Ａ）にてスキャナの読み取り条件を設定する。設定されたスキャナの読み取り条件にしたがって、クライアント端末６（ＷＳ＿Ａ）内では、スキャン情報管理部６ｂに以下のようなフォーマットでスキャン条件ファイルが形成される。
0003621180.tif 000003
以上のようなスキャン条件ファイルが形成された時点で、クライアントからの要求設定は完了する。
【００２０】
次に、クライアント端末６（ＷＳ＿Ａ）のオペレータはスキャン原稿を持ってネットワークスキャナ装置１０へ行き、図４に示すような操作部２の端末選択画面によって自分のクライアント端末６の名前を選択する。この時、自分のクライアント端末６の情報を獲得する前に、各クライアント端末６毎に設定されているパスワードの入力が要求される。パスワードの入力が要求されることにより、クライアント端末６の指定の誤りを無くすことができる。
【００２１】
該当するクライアント端末６の名前（例えば「ＷＳ＿Ａ」）が選択されると、ネットワークスキャナ装置１０は、該当するクライアント端末６のスキャン条件管理部６ｂをチェックし、スキャン条件ファイルがあるか否かがチェックされる。スキャン条件ファイルがある場合は、そのスキャン条件ファイルの内容（原稿サイズ、解像度、階調等）を使用して、ネットワークスキャナ装置１０の設定がなされ、スタート待ちの状態となる。なお、このスタート待ちの状態で、ネットワークスキャナ装置１０側で、原稿サイズ、解像度、階調等の設定を変更することもできる。この後、ネットワークスキャナ装置１０に原稿をセットし、操作部２でスタートキーが押されると、原稿が読み取られる。読み取られたスキャンデータは、オペレータが指定した名前（この例では「ＷＳ＿Ａ」）のクライアント端末６に転送され、スキャン条件ファイルに記載されているローカルファイル名（ｓｃａｎ．ｉｍｇ）で記憶装置６ａ上に記憶される。
【００２２】
上記ネットワークスキャナ装置によれば、スキャン条件を、各クライアント端末６の記憶装置６ａで管理し、オペレータがネットワークスキャナ装置を使用する場合、該当するクライアント端末６を指定することで、ネットワークスキャナ装置に対してクライアント端末６からスキャン条件が転送されるようになっているため、オペレータは、自分の設定したスキャン条件を素早く検索することができ、不特定多数のクライアント端末６からスキャン要求があっても、特にＩＤ等を覚えることなくメニュー形式で簡単に呼び出すことができる。
【００２３】
次に、クライアント端末６にスキャン条件の指定がない場合や、既に設定されているスキャン条件を無視して新たにスキャン条件を設定する場合のネットワークスキャナ装置の動作例について説明する。
【００２４】
まず、オペレータはネットワークスキャナ装置で、図４に示すような操作部２の画面より、読み取りデータが転送されるクライアント端末６を指定した後、同じく操作部２によって、スキャン条件（原稿サイズ、解像度、階調、ローカルファイル名等）が設定される。この時、クライアント端末６を選択する際には、各クライアント端末６毎に異なるように設定されているパスワードを入力し、誤ったクライアント端末６が設定されないようになっている。スキャン条件の設定が終了すると、操作部２は図３に示すように、スキャンスタートの待ち状態となる。ここで、操作部２のスタートキーを押すことでスキャン動作が開始される。読み取られたスキャンデータは、上記操作部２で設定されたクライアント端末６に転送されるとともに、操作部２で指定されたローカルファイル名で記憶装置６ａ上に記憶される。
【００２５】
上記ネットワークスキャナ装置によれば、オペレータがネットワークスキャナ装置１０にて、操作部２のメニューによりスキャンデータを転送するクライアント端末６の名前とスキャン条件を直接設定できるため、事前にクライアント端末上にてスキャン条件等を指定しなくともスキャンデータをクライアント端末６に対して転送することができる。
【００２６】
【発明の効果】
請求項１記載の発明によれば、ネットワークを介して複数のクライアント端末と接続可能なネットワークスキャナ装置であって、各クライアント端末から事前に送られてくる読み取り解像度等のスキャン条件情報を格納する手段と、上記スキャン条件情報を表示するとともにメニューからスキャン条件情報を選択する操作パネルと、を具備し、上記操作パネルでスキャン条件情報が選択されかつクライアント端末ごとに設定されているパスワードの入力があった場合に、読み取り動作を行い、自動的に上記クライアント端末に対してスキャンデータを送ることを特徴とするため、自分の設定したスキャン条件を素早く検索することができ、特にＩＤ等を覚えることなくメニュー形式で簡単に呼び出すことが可能となる。
【００２７】
請求項２記載の発明によれば、ネットワークを介して複数のクライアント端末と接続可能なネットワークスキャナ装置であって、各クライアント端末のスキャン条件情報格納手段に格納されている読み取り解像度等のスキャン条件情報をメニューから選択することができる操作パネルを具備し、上記操作パネルでスキャン条件情報が選択されかつクライアント端末ごとに設定されているパスワードの入力があった場合に、読み取り動作を行い、自動的に上記クライアント端末に対してスキャンデータを送るため、自分の設定したスキャン条件を素早く検索することができ、特にＩＤ等を覚えることなくメニュー形式で簡単に呼び出すことが可能となる。
【００２８】
請求項３記載の発明によれば、ネットワークを介して複数のクライアント端末と接続可能なネットワークスキャナ装置であって、ネットワークスキャナ装置はスキャン条件及び転送先のクライアント端末をメニューから指定する操作パネルを具備し、上記操作パネルでスキャン条件情報及び転送先のクライアント端末が選択されかつクライアント端末ごとに設定されているパスワードの入力があった場合に、読み取り動作を行い、自動的に上記クライアント端末に対してスキャンデータを送るため、事前にクライアント端末上にてスキャン条件等を指定しなくともスキャンデータをクライアント端末６に対して転送することが可能となる。
【図面の簡単な説明】
【図１】本発明にかかるネットワークスキャナ装置の実施の形態を概念的に示すブロック図。
【図２】同上ネットワークスキャナ装置に用いられる操作部の例を示す正面図。
【図３】同上ネットワークスキャナ装置に用いられる操作部の例を示す正面図。
【図４】同上ネットワークスキャナ装置に用いられる操作部の例の形態を示す正面図。
【符号の説明】
２  操作パネル
６  クライアント端末
７  ネットワーク
１０  ネットワークスキャナ装置
【図１】
0003621180.tif 000004
【図２】
0003621180.tif 000005
【図３】
0003621180.tif 000006
【図４】
0003621180.tif 000007